(57)【要約】【課題】追加情報を項目に対応づけて表示する。【解決手段】表示プログラムは、画面上のいずれかの場所に対応づけて１又は複数のメモを登録する処理を受け付ける処理をコンピュータに実行させる。また、表示プログラムは、画面の表示を行う際に、画面上のいずれかの場所に対応づけて登録されたメモのうち少なくともいずれか１つを、当該メモが対応づけられた場所に関連づけられた項目に応じて分類して表示する処理をコンピュータに実行させる。【選択図】図２
2019106137.tif 000002
【特許請求の範囲】
【請求項１】
コンピュータに、
画面上のいずれかの場所に対応づけて１又は複数のメモを登録する処理を受け付け、
前記画面の表示を行う際に、前記画面に対応づけて登録されたメモのうち少なくともいずれか１つを、当該メモが対応づけられた場所に関連づけられた項目に応じて分類して表示する
処理を行わせることを特徴とする表示プログラム。
【請求項２】
前記表示する処理は、前記画面の表示を行う際に、前記画面に対応づけて登録されたメモの一覧を、前記メモが対応づけられた場所に関連づけられた項目に応じて分類して表示することを特徴とする請求項１に記載の表示プログラム。
【請求項３】
前記メモの一覧のうち、いずれかのメモの選択を受け付けると、選択されたメモが関連づけられた項目、及び当該項目に対応づけられた場所のうち少なくともいずれかにフォーカスした表示を行うように制御する処理をさらに前記コンピュータに行わせることを特徴とする請求項２に記載の表示プログラム。
【請求項４】
前記制御する処理は、前記選択されたメモと前記項目又は前記項目に対応づけられた場所とを線でつなげて表示することを特徴とする請求項３に記載の表示プログラム。
【請求項５】
前記受け付ける処理は、前記メモ及び前記メモの記入欄のうち少なくともいずれかに対応するマーカのクリック操作及び前記マーカのドラッグ操作を受け付け、ある領域で前記ドラッグを終了するドロップ操作を受け付け、
前記表示する処理は、前記ドロップ操作を受け付けた領域に関連づけられた項目に応じて前記メモ及び前記記入欄のうち少なくともいずれかを表示する
ことを特徴とする請求項１乃至４のいずれか１つに記載の表示プログラム。
【請求項６】
前記受け付ける処理は、前記画面上に前記メモの記入欄を配置し、当該記入欄に対する入力を受け付けることにより行われることを特徴とする請求項１乃至５のいずれか１つに記載の表示プログラム。
【請求項７】
前記受け付ける処理は、前記メモの記入欄と前記対応づけられた項目とを線でつなげて表示することを特徴とする請求項６に記載の表示プログラム。
【請求項８】
前記場所が、複数の前記項目のうちいずれかの項目に対応するエリアに対応する場合は、当該メモを対応づけられた項目に関連づけて登録し、前記場所が、複数の前記項目のうちいずれの項目にも対応しないエリアに対応する場合は、当該メモを複数の前記項目のいずれかに属する項目に関連づけずに登録する処理をさらに前記コンピュータに実行させることを特徴とする請求項１乃至７のいずれか１つに記載の表示プログラム。
【請求項９】
前記メモに対応する関連づけられた項目の変更指示を受け付ける処理をさらに前記コンピュータに実行させ、
前記表示する処理は、前記画面の表示を行う際に、変更指示を受け付けたメモを、変更後の前記関連づけられた項目に応じて分類して表示することを特徴とする請求項１乃至８のいずれか１つに記載の表示プログラム。
【請求項１０】
前記項目の指定を含む前記メモの削除指示を受け付け、
指定された前記項目に関連づけられた複数の前記メモを一括して削除する
処理をさらに前記コンピュータに行わせることを特徴とする請求項１乃至９のいずれか１つに記載の表示プログラム。
【請求項１１】
コンピュータに、
画面上のいずれかの場所に対応づけて１又は複数のメモを登録する処理を受け付け、
前記画面の表示の際に、対応づけられた場所が所定の項目群に含まれるいずれの項目にも対応しない場所であるメモと、対応づけられた場所が前記所定の項目群のうちいずれかの項目に対応する場所であるメモとを区別可能に分類表示する
処理を実行させることを特徴とするコメント表示制御プログラム。
【請求項１２】
前記対応づけられた場所が所定の項目群に含まれるいずれの項目にも対応しない場所であるメモを、関連項目がないメモに分類する設定部をさらに含むことを特徴とする請求項１１に記載のコメント表示制御プログラム。
【請求項１３】
前記メモに対応する関連づけられた項目の変更指示を受け付ける処理をさらに前記コンピュータに実行させ、
前記表示する処理は、前記画面の表示を行う際に、変更指示を受け付けたメモを、変更後の前記関連づけられた項目に応じて分類して表示することを特徴とする請求項１１又は１２に記載のコメント表示制御プログラム。
【請求項１４】
コンピュータが、
画面上のいずれかの場所に対応づけて１又は複数のメモを登録する処理を受け付け、
前記画面の表示を行う際に、前記画面に対応づけて登録されたメモのうち少なくともいずれか１つを、当該メモが対応づけられた場所に関連づけられた項目に応じて分類して表示し、
処理を行うことを特徴とする表示方法。
【請求項１５】
画面上のいずれかの場所に対応づけて１又は複数のメモを登録する処理を受け付ける受付部と、
前記画面の表示を行う際に、前記画面に対応づけて登録されたメモのうち少なくともいずれか１つを、当該メモが対応づけられた場所に関連づけられた項目に応じて分類して表示する表示部と
を有することを特徴とする表示装置。
【請求項１６】
コンピュータが、
画面上のいずれかの場所に対応づけて１又は複数のメモを登録する処理を受け付け、
前記画面の表示の際に、対応づけられた場所が所定の項目群に含まれるいずれの項目にも対応しない場所であるメモと、対応づけられた場所が前記所定の項目群のうちいずれかの項目に対応する場所であるメモとを区別可能に分類表示する
処理を行うことを特徴とするコメント表示制御方法。
【請求項１７】
画面上のいずれかの場所に対応づけて１又は複数のメモを登録する処理を受け付ける受付部と、
前記画面の表示の際に、対応づけられた場所が所定の項目群に含まれるいずれの項目にも対応しない場所であるメモと、対応づけられた場所が前記所定の項目群のうちいずれかの項目に対応する場所であるメモとを区別可能に分類表示する表示部と
を有することを特徴とするコメント表示制御装置。
【発明の詳細な説明】
【技術分野】
【０００１】
本発明は、表示プログラム、表示方法、表示装置、コメント表示制御プログラム、コメント表示制御方法及びコメント表示制御装置に関する。
【背景技術】
【０００２】
紙に付箋を貼るように、画面上に表示された情報に対してメモ等の追加情報を付与する技術が知られている。例えば、ユーザ操作に基づいて付箋組データを編集し、付箋組データの位置情報により特定される文書上の位置に付箋リスト中の各付箋データに基づく付箋画像を重ねた文書画像を生成する付箋表示装置が知られている。当該装置は、付箋データを複数管理する付箋リストと文書上の位置を特定する位置情報とを含む付箋組データを保持するメモリを備える。当該装置は、付箋組データが編集されたことに応じて、当該編集後の付箋組データに基づいて画像を再生成して表示を変更する。
【０００３】
また、表示スペースを有効に活用し、見易くしかも操作が容易となるように、付箋を表示させる文書処理装置も知られている。当該装置は、複数頁重ねて表示された文書の任意頁に対して利用者が指定する付箋対象領域の位置データに対応する付箋データを生成し、該付箋データに関連付ける属性データを取得する。当該装置は、該付箋データを、該付箋データの付箋対象領域から離れ、他の付箋対象領域に対応する付箋データと重ならない位置に整列配置する。当該装置は、上記付箋データを、該当する属性データが示す属性を有する図形に図形化し、該当する上記付箋配置データに基づいて文書の画像領域外の他の付箋情報と重ならない位置に整列配置させて表示する。
【先行技術文献】
【特許文献】
【０００４】
【特許文献１】特開２００８−９７０７４号公報
【特許文献２】特開２０１１−４３８９５号公報
【発明の概要】
【発明が解決しようとする課題】
【０００５】
しかし、上記技術においては、貼付される付箋などの追加情報と、画面上に表示される項目との対応関係を把握することが容易ではない。上記技術は、付箋が貼付される画面上の位置情報を特定するが、貼付される付箋と、画面上に表示される項目とを対応づけることはない。
【０００６】
一つの側面では、追加情報を項目に対応づけて表示できる表示プログラム、表示方法、表示装置、コメント表示制御プログラム、コメント表示制御方法及びコメント表示制御装置を提供することを目的とする。
【課題を解決するための手段】
【０００７】
一つの態様において、表示プログラムは、画面上のいずれかの場所に対応づけて１又は複数のメモを登録する処理を受け付ける処理をコンピュータに実行させる。また、表示プログラムは、画面の表示を行う際に、画面に対応づけて登録されたメモのうち少なくともいずれか１つを、当該メモが対応づけられた場所に関連づけられた項目に応じて分類して表示する処理をコンピュータに実行させる。
【発明の効果】
【０００８】
一つの態様によれば、追加情報を項目に対応づけて表示できる。
【図面の簡単な説明】
【０００９】
【図１】図１は、実施例１における付箋表示画面の一例を示す図である。
【図２】図２は、実施例１における表示装置の一例を示す図である。
【図３】図３は、実施例１における項目ＤＢの一例を示す図である。
【図４】図４は、実施例１における付箋ＤＢの一例を示す図である。
【図５Ａ】図５Ａは、実施例１における画面遷移の一例を示す図である。
【図５Ｂ】図５Ｂは、実施例１における画面遷移の一例を示す図である。
【図５Ｃ】図５Ｃは、実施例１における画面遷移の一例を示す図である。
【図５Ｄ】図５Ｄは、実施例１における画面遷移の一例を示す図である。
【図６】図６は、実施例１における付箋登録処理の一例を示すフローチャートである。
【図７】図７は、実施例２における表示装置の一例を示す図である。
【図８Ａ】図８Ａは、実施例２における画面遷移の一例を示す図である。
【図８Ｂ】図８Ｂは、実施例２における画面遷移の一例を示す図である。
【図９Ａ】図９Ａは、実施例２における画面遷移の別の一例を示す図である。
【図９Ｂ】図９Ｂは、実施例２における画面遷移の別の一例を示す図である。
【図９Ｃ】図９Ｃは、実施例２における画面遷移の別の一例を示す図である。
【図９Ｄ】図９Ｄは、実施例２における画面遷移の別の一例を示す図である。
【図１０】図１０は、実施例２における付箋登録処理の一例を示すフローチャートである。
【図１１】図１１は、実施例２における付箋更新処理の一例を示すフローチャートである。
【図１２】図１２は、実施例３における付箋削除画面の一例を示す図である。
【図１３】図１３は、実施例３における付箋削除処理の一例を示すフローチャートである。
【図１４】図１４は、ハードウェア構成例を示す図である。
【発明を実施するための形態】
【００１０】
以下に、本願の開示する表示プログラム、表示方法、表示装置、コメント表示制御プログラム、コメント表示制御方法及びコメント表示制御装置の実施例を図面に基づいて詳細に説明する。なお、この実施例によりこの発明が限定されるものではない。また、以下に示す各実施例は、矛盾を起こさない範囲で適宜組み合わせても良い。
【実施例１】
【００１１】
まず、本実施例における、後に説明する表示装置１００により追加された付箋を含む画面の一例について、図１を用いて説明する。なお、付箋は、コメント又はメモの一例である。
【００１２】
図１は、実施例１における付箋表示画面の一例を示す図である。図１に示すように、本実施例における付箋表示画面１０は、例えば企業や自治体における稟議システム等の起案画面等の各種の帳票を示す。図１に示すように、付箋表示画面１０に表示される帳票は、「件名」１６ｃや「起案理由」１６ｄなどの各種の項目を含み、また各項目に対応する入力フォームを有する。付箋表示画面１０は、当該帳票に重畳して、当該帳票に付される付箋１１ａ及び１１ｂを表示させる。また、付箋表示画面１０は、後に説明する付箋ボタン５１及びパレット５２をさらに含む。なお、図１は、メニュー５０ａにおける「発意起案」帳票の一例を示すが、これに限られず、メニュー５０ａに示すようなその他の帳票等の複数の画面に対して、それぞれ付箋が表示されるような構成であってもよい。
【００１３】
図１に示すように、付箋表示画面１０に表示される付箋１１ａは、「起案理由」１６ｂの項目に、矢印１９ａにより接続される。同様に、付箋１１ｂは、「起案理由」１６ｂの項目に、矢印１９ｂにより接続される。なお、図１に示すように、表示装置１００は、一つの項目に対して、複数の付箋を関連づけさせることができる。
【００１４】
このように、本実施例における表示装置１００は、画面上の場所の選択を受け付けて位置に対応する項目を特定し、入力された情報を含むメモを、選択された場所に対応する項目ごとに分類して画面に表示させるので、情報を項目に対応づけて表示できる。
【００１５】
［機能ブロック］
次に、本実施例における表示装置の一例について、図２を用いて説明する。図２は、実施例１における表示装置の一例を示す図である。図２に示すように、本実施例における表示装置１００は、外部Ｉ／Ｆ（Interface）１１０と、記憶部１２０と、制御部１３０とを有する。なお、表示装置１００は例えば物理的な１つのサーバに対応するが、これに限られず、スタンドアロン型コンピュータにおいて実現されてもよく、クラウド上の仮想マシンにより実現されてもよい。
【００１６】
外部Ｉ／Ｆ１１０は、表示装置１００のユーザの端末装置（不図示）や管理者の端末装置（不図示）など、その他のコンピュータ等との通信を制御する。外部Ｉ／Ｆ１１０は、例えばＮＩＣ（Network  Interface  Card）等の通信インタフェース等である。なお、外部Ｉ／Ｆ１１０は、例えば入力装置（不図示）や表示装置（不図示）と接続され、ユーザや管理者による入力を受け付け、処理結果を表示させるようなインタフェースであってもよい。
【００１７】
記憶部１２０は、プログラムやデータを記憶する記憶装置の一例であり、例えばメモリやプロセッサなどである。記憶部１２０は、項目ＤＢ１２１及び付箋ＤＢ１２２を有する。なお、以下の説明では、データベースを「ＤＢ」と表記する場合がある。
【００１８】
項目ＤＢ１２１は、各帳票に含まれる項目に関する情報を記憶する。図３は、実施例１における項目ＤＢの一例を示す図である。図３に示すように、項目ＤＢ１２１は、例えば、「項目ＩＤ（Identifier）」に対応づけて、「項目名」と、「位置」及び「サイズ」とを対応づけて記憶する。なお、項目ＤＢ１２１に記憶される情報は、例えば図示しない表示装置１００の管理者により予め入力される。
【００１９】
項目ＤＢ１２１は、例えば、帳票１つごとに１つのテーブルを保持し、各帳票に含まれる項目ごとに１つのレコードとして記憶する。図３は、例えば帳票ＩＤ「Ｆ００１」の帳票に含まれる各項目に関する情報を記憶する。なお、帳票ＩＤは、起案画面等の各帳票を一意に識別する情報である。
【００２０】
図３において、「項目ＩＤ」は、帳票に含まれる各項目を一意に識別する情報である。「項目名」は、当該項目の名称を示す。「位置」及び「サイズ」は、当該項目を示す情報が表示される位置、及び当該項目を示す情報の表示のサイズを示す。例えば、図３において、項目ＩＤ「Ｃ００３」の項目の名称は「起案理由」であり、画面の左端から「０」ｍｍ、上端から「５０」ｍｍに表示される。また、項目名「起案理由」を示す情報の表示のサイズは「５０ｍｍ×４０ｍｍ」である。
【００２１】
付箋ＤＢ１２２は、各帳票に追加される付箋に関する情報を記憶する。図４は、実施例１における付箋ＤＢの一例を示す図である。図４に示すように、付箋ＤＢ１２２は、例えば、「付箋ＩＤ」に対応づけて、「帳票ＩＤ」及び「項目ＩＤ」と、「登録者」と、「位置」及び「サイズ」と、「付箋色」及び「フォント」と、「内容」とを記憶する。なお、付箋ＤＢ１２２に記憶される情報は、例えば後に説明する設定部１３２により入力される。付箋ＤＢ１２２は、例えば、付箋１つごとに１つのレコードとして記憶する。なお、図４は、付箋ＤＢ１２２が、複数の帳票に付された各付箋を１つのテーブルに記憶する構成を示すが、これに限られず、帳票ＩＤごとに、又は項目ＩＤごとに１つのテーブルとして記憶するような構成であってもよい。なお、以下において、付箋ＤＢ１２２に記憶される付箋に関する情報を、「付箋情報」と表記する場合がある。
【００２２】
図４において、「付箋ＩＤ」は、各帳票に含まれる各項目に付された付箋を一意に識別する情報である。「帳票ＩＤ」及び「項目ＩＤ」は、当該付箋が関連づけられた帳票及び項目を示す。「登録者」は、当該付箋を登録したユーザの氏名を示す。「位置」及び「サイズ」は、当該付箋が表示される位置、及び当該付箋のサイズを示す。「付箋色」及び「フォント」は、当該付箋の色、及び当該付箋に入力されたテキストのフォントを示す。「内容」は、当該付箋に入力されたテキストの内容を示す。
【００２３】
例えば、図４に示す付箋ＤＢ１２２は、付箋ＩＤ「Ｎ００１」の付箋は、「Ｆ００１」の帳票の項目「Ｃ００３」に関連づけられており、「●●  一郎」により登録されたことを記憶する。また、付箋ＤＢ１２２は、当該付箋の内容が「金額を明記してください」であることを記憶する。なお、付箋ＩＤ「Ｎ００３」のように、項目ＩＤが「未登録」となる事例については、実施例２において説明する。
【００２４】
なお、付箋ＤＢ１２２が記憶する情報は一例であり、例えば登録日時や文字のサイズ、色等のその他の情報を付箋ＤＢ１２２がさらに記憶してもよい。また、付箋ＤＢ１２２が登録者の氏名の代わりにユーザＩＤを記憶するような構成であってもよく、登録者を記憶しないような構成であってもよい。
【００２５】
図２に戻って、制御部１３０は、表示装置１００全体を司る処理部であり、例えばプロセッサなどである。制御部１３０は、受付部１３１、設定部１３２及び出力部１３３を有する。なお、受付部１３１、設定部１３２及び出力部１３３は、プロセッサが有する電子回路の一例やプロセッサが実行するプロセスの一例である。
【００２６】
受付部１３１は、ユーザによる付箋の登録を受け付ける。例えば、受付部１３１は、外部Ｉ／Ｆ１１０を通じて、ユーザの端末装置から付箋の登録操作を受け付け、受け付けた内容を設定部１３２に出力する。また、受付部１３１は、登録済みの付箋に対する移動等の操作を受け付け、受け付けた内容を設定部１３２に出力する。
【００２７】
受付部１３１による処理について、図５Ａ乃至図５Ｄを用いて説明する。図５Ａ乃至図５Ｄは、実施例１における画面遷移の一例を示す図である。図５Ａに示すように、受付部１３１は、例えばユーザの端末に、帳票が表示された画面５０が表示されている場合において、付箋ボタン５１が選択されたことを検出する。
【００２８】
この場合において、受付部１３１は、図５Ｂに示すように、外部Ｉ／Ｆ１１０を通じて、ユーザの端末に、付箋の登録に用いられるパレット５２を表示させる。次に、受付部１３１は、外部Ｉ／Ｆ１１０を通じて、ユーザの端末において、パレットの特定の色を示す部分において、マウスクリック５３ａを検出する。そして、受付部１３１は、外部Ｉ／Ｆ１１０を通じて、図５Ｃに示すように、マウスクリック５３ａを検出した部分からドラッグ操作が行われ、「件名」の項目の部分でドロップ操作５３ｂを検出する。この際、受付部１３１は、例えば項目ＤＢ１２１を参照して、ドロップ操作に対応する位置にある帳票画面上の項目が、「件名」であることを特定する。
【００２９】
この場合において、受付部１３１は、外部Ｉ／Ｆ１１０を通じて、ユーザの端末に、ドロップ操作５３ｂを検出した部分に対応して、メモの入力欄５４ａを表示させる。なお、メモの入力欄５４ａの色は、図５Ｂにおいて、マウスクリック５３ａを検出した部分の色である。また、受付部１３１は、設定部１３２に、表示中の帳票画面の帳票ＩＤ、ドロップ操作５３ｂを検出した部分に対応づけられた項目の項目ＩＤ及びユーザの氏名を出力する。
【００３０】
そして、受付部１３１は、ユーザの端末から、外部Ｉ／Ｆ１１０を通じて、ユーザによるメモの入力欄５４ａに対するテキストの入力を受け付ける。なお、入力欄５４ａは、テキストのフォント、色などを選択するためのアイコン５４ｘをさらに含んでもよい。受付部１３１は、ユーザの端末から、外部Ｉ／Ｆ１１０を通じて、テキストの入力が完了したことを検出すると、入力されたテキストの内容、付箋の位置及びサイズ、色及びフォントを、設定部１３２に出力する。
【００３１】
また、受付部１３１は、入力欄５４ａの位置の変更及びサイズの変更をさらに受け付けてもよい。図５Ｄに示すように、受付部１３１は、ユーザの端末から、外部Ｉ／Ｆ１１０を通じて、入力欄５４ａの位置においてマウスクリック５３ｃを検出する。この場合において、受付部１３１は、入力欄５４ａを、ドロップ操作５３ｄを検出した位置まで移動させる（入力欄５４ａ’）。この場合において、受付部１３１は、変更後の入力欄５４ａ’の位置及びサイズのうち少なくともいずれかを、設定部１３２に出力する。また、受付部１３１は、入力欄５４ａの代わりに、登録済みの付箋に対する移動、サイズ変更、テキスト変更などの操作を受け付けてもよい。この場合においても、受付部１３１は、変更後の入力欄５４ａ’に入力された変更後のテキスト５５等の情報を、設定部１３２に出力する。なお、後に説明するように、入力欄５４ａ’と、関連づけられた項目である「件名」との間は、図５Ｄに示すように矢印５９ｄで接続される。
【００３２】
次に、設定部１３２は、ユーザにより登録された付箋に関する情報を、付箋ＤＢ１２２に記憶する。設定部１３２は、受付部１３１から、帳票ＩＤ、項目ＩＤ及びユーザの氏名の出力を受けると、付箋ＩＤを付与して、付箋ＤＢ１２２に記憶する。また、設定部１３２は、受付部１３１から、テキストの内容、付箋の位置及びサイズ並びに色及びフォントの出力を受けると、登録済みの付箋ＩＤと対応づけて、付箋ＤＢ１２２に記憶する。さらに、設定部１３２は、受付部１３１から、変更後の入力欄５４ａ’の位置及びサイズのうち少なくともいずれかの出力を受けると、付箋ＤＢ１２２に記憶済みの入力欄５４ａ’の位置又はサイズを更新する。さらに、設定部１３２は、登録済みの付箋に対する変更内容の出力を受けた場合も、同様に付箋ＤＢ１２２の内容を更新する。
【００３３】
次に、出力部１３３は、付箋ＤＢ１２２に登録された付箋を、帳票画面上に表示させる。出力部１３３は、設定部１３２により新たな付箋の情報が登録された場合、新たに登録された付箋を含む、付箋ＤＢ１２２に記憶された付箋を、帳票画面上に表示させる。また、出力部１３３は、新たな付箋が登録されていない場合においても、ユーザの端末から帳票画面の表示指示を受け付けた場合も、同様に付箋を表示させる。なお、出力部１３３は、表示部の一例である。
【００３４】
出力部１３３は、新たな付箋が登録されたことを検出し、又は外部Ｉ／Ｆ１１０を通じて、ユーザの端末から、帳票画面の表示指示があったことを検出すると、付箋ＤＢ１２２から、当該帳票画面の帳票ＩＤに対応するレコードを抽出する。次に、出力部１３３は、各レコードに記憶された内容を、記憶された位置及びサイズ、付箋色並びにフォントを用いて、帳票画面上に表示させる。さらに、出力部１３３は、各レコードに記憶された項目ＩＤに対応する位置と、表示された付箋とを接続する矢印を表示させる。
【００３５】
［処理の流れ］
次に、本実施例における処理の流れについて、図６を用いて説明する。図６は、実施例１における付箋登録処理の一例を示すフローチャートである。図６に示すように、表示装置１００の受付部１３１は、ユーザによるドラッグ＆ドロップ操作を検出するまで待機する（Ｓ１０：Ｎｏ）。
【００３６】
受付部１３１は、ドラッグ＆ドロップ操作を検出したと判定した場合（Ｓ１０：Ｙｅｓ）、項目ＤＢ１２１を参照して、ドロップ操作に対応する位置にある、帳票画面上の項目を特定し、設定部１３２に出力する（Ｓ１１）。設定部１３２は、付箋ＤＢ１２２に、付箋情報を登録する（Ｓ１２）。そして、受付部１３１は、ユーザによるテキストの入力が完了するまで待機する（Ｓ２０：Ｎｏ）。
【００３７】
受付部１３１は、ユーザによるテキストの入力が完了したことを検出すると（Ｓ２０：Ｙｅｓ）、入力されたテキストを設定部１３２に出力する。設定部１３２は、付箋ＤＢ１２２に登録された付箋情報に対応付けて、入力されたテキストを追加する（Ｓ２１）。
【００３８】
そして、出力部１３３は、付箋ＤＢ１２２に記憶された付箋情報を参照し、付箋を含む帳票画面を表示させ（Ｓ２２）、処理を終了する。
【００３９】
［効果］
以上説明したように、本実施例における表示装置は、画面上のいずれかの場所に対応づけて１又は複数のメモを登録する処理を受け付ける。また、表示装置は、画面の表示を行う際に、画面に対応づけて登録されたメモのうち少なくともいずれか１つを、当該メモが対応づけられた場所に関連づけられた項目に応じて分類して表示する。これにより、表示装置は、追加情報を画面上の特定の位置に配置するだけでなく、当該位置に該当する画面上の項目に対応づけて表示させることができる。
【００４０】
また、本実施例における表示装置は、画面の表示を行う際に、画面に対応づけて登録されたメモの一覧を、メモが対応づけられた場所に関連づけられた項目に応じて分類して表示する。これにより、各項目に対応づけられた付箋をユーザに容易に視認させることができる。
【００４１】
また、表示装置は、メモの一覧のうち、いずれかのメモの選択を受け付けると、選択されたメモが関連づけられた項目、及び当該項目に対応づけられた場所のうち少なくともいずれかにフォーカスした表示を行うように制御してもよい。その際、表示装置は、選択されたメモと項目又は項目に対応づけられた場所とを線でつなげて表示させてもよい。これにより、個別の付箋と、対応づけられた項目との関係をユーザに容易に視認させることができる。
【００４２】
さらに、表示装置は、メモ及びメモの記入欄のうち少なくともいずれかに対応するマーカのクリック操作及びマーカのドラッグ操作を受け付け、ある領域でドラッグを終了するドロップ操作を受け付けてもよい。表示装置は、ドロップ操作を受け付けた領域に関連づけられた項目に応じてメモ及び記入欄のうち少なくともいずれかを表示させてもよい。その際、表示装置は、画面上にメモの記入欄を配置し、当該記入欄に対する入力を受け付けてもよい。さらに、表示装置は、メモの記入欄と対応づけられた項目とを線でつなげて表示させてもよい。これにより、画面上に表示された項目に対応づけられた付箋を容易に追加できる。
【実施例２】
【００４３】
ところで、項目と関連づけて付箋を登録した場合において、ユーザが関連づけられた項目を、当該ユーザ又は第三者が事後的に変更したい場合がある。また、例えば項目との関連づけを第三者に委ねるために、ユーザが項目と関連づけずに付箋を登録したい場合も考えられる。
【００４４】
そこで、本実施例においては、付箋と項目との関連づけを変更可能な構成について説明する。
【００４５】
［機能ブロック］
図７は、実施例２における表示装置の一例を示す図である。図７に示すように、本実施例における表示装置３００は、外部Ｉ／Ｆ１１０と、記憶部１２０と、制御部３３０とを有する。なお、以下の実施例において、先に説明した図面に示す部位と同一の部位には同一の符号を付し、重複する説明は省略する。
【００４６】
制御部３３０は、表示装置３００全体を司る処理部であり、例えばプロセッサなどである。制御部３３０は、受付部３３１、設定部３３２及び出力部１３３を有する。なお、受付部３３１及び設定部３３２も、プロセッサが有する電子回路の一例やプロセッサが実行するプロセスの一例である。
【００４７】
受付部３３１は、ユーザによる付箋の登録を受け付ける際、当該付箋に、帳票に含まれる項目が関連づけられているか否かを判定する。例えば、受付部３３１は、ユーザの端末において、図５Ｂに示すパレット５２を起点とするドラッグ操作を検出した場合に、ドロップ操作が検出された位置を特定する。そして、受付部３３１は、項目ＤＢ１２１を参照し、ドロップ操作が検出された位置に該当する項目が登録されているか否かを判定する。
【００４８】
受付部３３１は、ドロップ操作が検出された位置に該当する項目が登録されていないと判定した場合、付箋情報として、「関連項目無し」であることを示す情報を登録する。例えば、受付部３３１は、図４に示す付箋ＤＢ１２２の付箋ＩＤ「Ｎ００３」のように、項目ＩＤが「未登録」であることを示す付箋情報を登録する。
【００４９】
また、受付部３３１は、ユーザによる付箋の登録に加えて、ユーザによる付箋の関連項目等の変更をさらに受け付ける。なお、以下において、付箋の関連項目等の変更を含む、付箋に対する操作を「プロパティ設定」と表記する場合がある。
【００５０】
受付部３３１は、ユーザによるプロパティ設定の要求を受け付けると、プロパティ設定のためのアイコン等を表示する。受付部３３１は、ユーザによるプロパティ設定を受け付けると、プロパティ設定に関する情報を設定部３３２に出力する。
【００５１】
設定部３３２は、ユーザにより登録された付箋に関する情報の登録に加えて、ユーザによるプロパティ設定に基づいて、付箋ＤＢ１２２に記憶された内容を更新する。設定部３３２は、例えば、ユーザから付箋の関連項目の変更を受け付けた場合、付箋ＤＢ１２２を参照し、該当するレコードの項目ＩＤを、プロパティ設定に関する情報に基づいて更新する。
【００５２】
実施例２におけるプロパティ設定に関する処理について、図８Ａ乃至図９Ｄを用いて説明する。図８Ａ及び図８Ｂは、実施例２における画面遷移の一例を示す図である。図８Ａは、登録された付箋８５ａが、帳票画面に重畳して表示される画面８０を例示する。この場合において、受付部３３１は、一覧表示ボタン８１が押下されたことを検出すると、図８Ｂに示すように、一覧表示部８２を表示させる。
【００５３】
図８Ｂに示すように、一覧表示部８２は、画面８０に表示された付箋に関する情報を一覧表示する。図８Ｂにおいては、表示される付箋が付箋８５ａのみであるため、一覧表示部８２には付箋８５ａに関する情報８４ａのみが表示される。
【００５４】
次に、実施例２において、関連づけられた項目の変更を受け付ける処理について説明する。図９Ａ乃至図９Ｄは、実施例２における画面遷移の別の一例を示す図である。図９Ａは、帳票画面に、複数の付箋９５ａ乃至９５ｆが重畳して表示された画面９０を例示する。
【００５５】
画面９０において、付箋９５ａ及び９５ｂには、関連項目が登録されていない。一方、付箋９５ｃ乃至９５ｆには、関連項目として、「件名」が登録されている。例えば、付箋９５ｄは、「件名」の項目を示す部分９６ｃと、矢印９９ｄで接続される。同様に、付箋９５ｅは、「件名」の項目を示す部分９６ｃと、矢印９９ｅで接続される。
【００５６】
また、画面９０に含まれる一覧表示部９２は、項目「付箋一覧」９３ａの傘下に、複数の付箋９５ａ乃至９５ｆを、当該付箋に関連づけられた項目ごとに分類して表示する。一覧表示部９２は、関連項目が登録されていない付箋９５ａ及び９５ｂに関する情報９４ａ及び９４ｂを、「関連項目なし」９３ｂの傘下に含む。また、一覧表示部９２は、関連項目として「件名」が登録されている付箋９５ｃ乃至９５ｆに関する情報９４ｃ乃至９４ｆを、「件名」９３ｃの傘下に含む。
【００５７】
この場合において、受付部３３１は、付箋９５ｄに該当する部分において右クリック操作９７ａを検出した場合、図９Ｂに示すようなメニューウィンドウ９８ａを表示させる。そして、受付部３３１は、メニューウィンドウ９８ａにおいて、「プロパティ」に対するクリック操作９７ｂを受け付けた場合、プロパティ設定ウィンドウ９８ｂをさらに表示させる。
【００５８】
図９Ｂに示すプロパティ設定ウィンドウ９８ｂにおいて、例えば関連項目「なし」が選択された場合、受付部３３１は関連項目「なし」を示す情報を設定部３３２に出力する。設定部３３２は、付箋ＤＢ１２２を参照し、付箋９５ｄに対応するレコードの項目ＩＤを「件名」を示す情報から「未登録」に更新する。
【００５９】
そして、出力部１３３は、更新後の付箋ＤＢ１２２を参照し、図９Ｃに示すように画面９０を更新する。更新された画面９０Ｘは、付箋９５ｄと項目との関連づけが変更された一覧表示部９２Ｘを含む。
【００６０】
一覧表示部９２Ｘにおいて、付箋９５ｄに関する情報９４ｄは、「件名」９３ｃの傘下から、「関連項目なし」９３ｂの傘下へと移動している。すなわち、図９Ｃに示すように、一覧表示部９２Ｘは、「関連項目なし」９３ｂの傘下に、付箋９５ａ及び９５ｂに関する情報９４ａ及び９４ｂに加えて、さらに付箋９５ｄに関する情報９４ｄを含む。
【００６１】
さらに、更新された画面９０Ｘにおいては、画面９０において示されていた、付箋９５ｄと「件名」の部分９６ｃとを接続する矢印９９ｄが削除されている。これにより、表示装置３００は、付箋９５ｄについての項目との関連づけが変更されたことをユーザに視認させることができる。
【００６２】
付箋の関連項目が変更される場合の画面遷移の別の一例について、図９Ａ及び図９Ｄを用いて説明する。例えば、受付部３３１は、図９Ａにおいて「件名」に関連づけられた付箋９５ｅに対するプロパティ設定操作により、関連づけられた項目を「起案理由」に変更する要求を受け付ける。
【００６３】
この場合、図９Ｄに示すように、要求に基づき更新された画面９０Ｙの一覧表示部９２Ｙにおいて、付箋９５ｅに関する情報９４ｅは、「件名」９３ｃの傘下から、「起案理由」９３ｄの傘下へと移動している。また、付箋９５ｅと「件名」の部分９６ｃとを接続する矢印９９ｅが削除され、代わりに付箋９５ｅと「起案理由」の部分９６ｄとを接続する矢印９９ｅ’が追加される。これにより、表示装置３００は、付箋９５ｅについての項目との関連づけが変更されたことをユーザに視認させることができる。
【００６４】
［処理の流れ］
次に、本実施例における処理の流れについて、図１０及び図１１を用いて説明する。図１０は、実施例２における付箋登録処理の一例を示すフローチャートである。なお、以下の説明において、図６に示すステップと同じ符号については同様のステップであるため、詳細な説明を省略する。
【００６５】
図１０に示すように、本実施例における表示装置３００の受付部３３１は、Ｓ１１においてドロップ位置の項目を特定する際、項目ＤＢ１２１を参照し、当該ドロップ位置に対応する項目が存在するか否かを判定する（Ｓ１３）。
【００６６】
受付部３３１は、ドロップ位置に対応する項目が存在すると判定した場合（Ｓ１３：Ｙｅｓ）、当該項目を関連項目として含む付箋情報を付箋ＤＢ１２２に登録し（Ｓ１４）、Ｓ２０に進む。一方、受付部３３１は、ドロップ位置に対応する項目が存在しないと判定した場合（Ｓ１３：Ｎｏ）、「関連項目無し」を示す付箋情報を付箋ＤＢ１２２に登録し（Ｓ１５）、Ｓ２０に進む。
【００６７】
次に、付箋更新処理について、図１１を用いて説明する。図１１は、実施例２における付箋更新処理の一例を示すフローチャートである。図１１に示すように、受付部３３１は、ユーザによる付箋のプロパティ設定を受け付けるまで待機する（Ｓ３０：Ｎｏ）。
【００６８】
受付部３３１は、付箋のプロパティ設定を受け付けたと判定した場合（Ｓ３０：Ｙｅｓ）、受け付けたプロパティ設定に関する情報を、設定部３３２に出力する。
【００６９】
設定部３３２は、項目ＤＢ１２１に登録された、該当する付箋情報における項目ＩＤを、プロパティ設定に関する情報を用いて更新する（Ｓ３１）。
【００７０】
そして、出力部１３３は、付箋ＤＢ１２２に記憶された付箋情報を参照し、接続先を変更した付箋を含む帳票画面を表示させ（Ｓ４０）、処理を終了する。
【００７１】
［効果］
以上説明したように、本実施例における表示装置は、画面上のいずれかの場所に対応づけて１又は複数のメモを登録する処理を受け付ける。また、表示装置は、画面の表示の際に、対応づけられた場所が所定の項目群に含まれるいずれの項目にも対応しない場所であるメモと、対応づけられた場所が所定の項目群のうちいずれかの項目に対応する場所であるメモとを区別可能に分類表示する。これにより、表示装置は、追加情報に対して関連づけられた項目があるか否かをユーザに容易に視認させることができる。
【００７２】
また、本実施例における表示装置は、対応づけられた場所が所定の項目群に含まれるいずれの項目にも対応しない場所であるメモを、関連項目がないメモに分類する。これにより、操作を受け付ける場所に応じて、項目に対する関連づけをするか否かを容易に特定できる。
【００７３】
さらに、本実施例における表示装置は、メモに対応する関連づけられた項目の変更指示を受け付け、画面の表示を行う際に、変更指示を受け付けたメモを、変更後の関連づけられた項目に応じて分類して表示してもよい。これにより、付箋に対して設定された項目との関連づけを容易に変更することができる。
【実施例３】
【００７４】
さて、これまで本発明の実施例について説明したが、本発明は上述した実施例以外にも、種々の異なる形態にて実施されてよいものである。例えば、設定部１３２が付箋ＤＢ１２２に情報を登録するタイミングは一例であり、一つの付箋について全ての入力が完了したタイミングで、レコードの各項目を一括して記憶するような構成であってもよい。
【００７５】
また、付箋の登録を受け付ける処理は一例であり、例えば図５Ｂに示す帳票が表示された画面５０のいずれかにおいてマウスの右クリックが検出された場合に、付箋の入力欄を表示させ、付箋の登録を受け付けるような構成であってもよい。
【００７６】
また、実施例２において、表示装置３００が登録された付箋を削除する構成について説明したが、付箋を削除する際に、付箋に対する操作の代わりに、図９Ａの一覧表示部９２に示す各付箋の情報に対する操作を受け付ける構成であってもよい。また、表示装置３００が、例えば特定の項目に関連づけられた付箋を、一括して削除できるような構成であってもよい。
【００７７】
図１２は、実施例３における付箋削除画面の一例を示す図である。図１２に示すように、付箋削除画面１２Ｓは、図９Ａの一覧表示部９２において、さらに削除ボタン１２ｘ乃至１２ｚを含む。
【００７８】
図１２において、表示装置３００の設定部３３２は、削除ボタン１２ｘが押下されると、一覧表示部９２に表示された全ての付箋情報を一括して削除する。例えば、設定部３３２は、付箋ＤＢ１２２に登録された情報のうち、帳票ＩＤが一致する全ての付箋情報を削除する。
【００７９】
設定部３３２は、削除ボタン１２ｙが押下されると、一覧表示部９２のうち、「関連項目なし」である付箋に関する情報を一括して削除する。例えば、設定部３３２は、付箋ＤＢ１２２に登録された情報のうち、帳票ＩＤ及び項目ＩＤが一致する付箋に関する情報９４ａ及び９４ｂを削除する。一方、設定部３３２は、削除ボタン１２ｚが押下された場合は、付箋ＩＤが一致する付箋に関する情報９４ａのみを個別に削除する。
【００８０】
［処理の流れ］
次に、図１２に示すような付箋削除処理の流れについて、図１３を用いて説明する。図１３は、実施例３における付箋削除処理の一例を示すフローチャートである。図１３に示すように、表示装置３００の受付部３３１は、ユーザによる付箋削除指示を受け付けるまで待機する（Ｓ５０：Ｎｏ）。
【００８１】
受付部３３１は、付箋削除指示を受け付けたと判定した場合（Ｓ５０：Ｙｅｓ）、付箋削除指示に関する情報を設定部３３２に出力する。設定部３３２は、付箋削除指示が、項目単位での一括削除に該当するか否かを判定する（Ｓ５１）。設定部３３２は、付箋削除指示が、項目単位での一括削除に該当すると判定した場合（Ｓ５１：Ｙｅｓ）、付箋ＤＢ１２２を参照し、項目ＩＤが一致する全ての付箋情報を削除し（Ｓ５２）、Ｓ６０に進む。
【００８２】
一方、設定部３３２は、付箋削除指示が、項目単位での一括削除に該当しないと判定した場合（Ｓ５１：Ｎｏ）、付箋ＤＢ１２２を参照し、付箋ＩＤが一致する個別の付箋情報を削除し（Ｓ５３）、Ｓ６０に進む。
【００８３】
そして、出力部１３３は、該当する付箋情報が削除された後の付箋を含む画面を表示させ（Ｓ６０）、処理を終了する。
【００８４】
以上説明したように、本実施例における表示装置は、項目の指定を含むメモの削除指示を受け付け、指定された項目に関連づけられた複数のメモを一括して削除する。これにより、表示装置は、複数の付箋を容易に一括削除できる。
【００８５】
なお、例えば図５Ｃにおいて、ドラッグ＆ドロップ操作の対象となる位置は、項目の名称を示す部分５７等であるが、これに限られず、項目に対応する入力フォーム部分５８であってもよい。
【００８６】
また、項目ＤＢ１２１に記憶される情報は、例えば公知の画面スクレイピング技術により取得された情報であってもよい。
【００８７】
また、実施例２における関連づけられた項目を変更するための処理は一例であり、例えば、受付部３３１が、表示された付箋や矢印の位置に対するドラッグ＆ドロップ等の操作があった場合に、付箋のプロパティ設定を受け付けるような構成であってもよい。この場合において、受付部３３１は、当該ドラッグ＆ドロップ等の操作が、付箋の移動を意図するものか、又は付箋のプロパティ設定を受け付けるものであるかを、さらにユーザに確認するような構成であってもよい。
【００８８】
なお、実施例１において、表示装置１００が、一つの項目に対して、複数の付箋を関連づけさせる構成について説明したが、これに限られず、例えば一つの付箋を、複数の項目に関連づけさせることができるような構成であってもよい。
【００８９】
また、図９Ａ等に示すような付箋９５ａ乃至９５ｆの表示の態様は一例であり、例えば付箋の一部分だけを重畳して表示させておき、マウスカーソルを当該部分に合わせると付箋全体が表示されるような構成であってもよい。また、一覧表示部９２にのみ付箋に関する情報を表示させ、付箋そのものを帳票画面に表示させないような構成であってもよい。
【００９０】
［システム］
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、実施例１において、表示装置１００の受付部１３１と設定部１３２とを統合してもよい。また、実施例２において、表示装置３００の受付部３３１の付箋登録を受け付ける処理と、付箋のプロパティ設定を受け付ける処理とを分割し、それぞれ別の処理部として設けてもよい。
【００９１】
さらに、各装置で行われる各種処理機能は、ＣＰＵ（Central  Processing  Unit）（またはＭＰＵ（Micro  Processing  Unit）、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００９２】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図１４は、ハードウェア構成例を示す図である。図１４に示すように、なお、以下においては、実施例１における表示装置１００を例として説明するが、実施例２及び３における表示装置３００についても同様のコンピュータにより実現できる。
【００９３】
図１４が示すように、コンピュータ２００は、各種演算処理を実行するプロセッサ２０１と、データ入力を受け付ける入力装置２０２と、モニタ２０３とを有する。また、コンピュータ２００は、記憶媒体からプログラム等を読み取る媒体読取装置２０４と、各種装置と接続するためのインタフェース装置２０５と、他の情報処理装置等と有線または無線により接続するための通信装置２０６とを有する。また、コンピュータ２００は、各種情報を一時記憶するメモリ２０７と、ハードディスク装置２０８とを有する。また、各装置２０１〜２０８は、バス２０９に接続される。
【００９４】
メモリ２０７の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。プロセッサ２０１の一例としては、ＣＰＵ、ＭＰＵ、ＭＣＵ、ＤＳＰ（Digital  Signal  Processor）、ＦＰＧＡ（Field  Programmable  Gate  Array）、ＰＬＤ（Programmable  Logic  Device）等が挙げられる。
【００９５】
ハードディスク装置２０８には、図２に示した受付部１３１、設定部１３２及び出力部１３３の各処理部と同様の機能を有する表示プログラムが記憶される。また、ハードディスク装置２０８には、項目ＤＢ１２１及び付箋ＤＢ１２２、並びに表示プログラムを実現するための各種データが記憶される。入力装置２０２は、例えば、コンピュータ２００の管理者から管理情報等の各種情報の入力を受け付ける。モニタ２０３は、例えば、コンピュータ２００の管理者に対して管理情報の画面や各種画面を表示する。インタフェース装置２０５は、例えば、図２に示した外部Ｉ／Ｆ１１０と同様の機能を有し、例えばカメラ及びコードリーダ等のセンサを有する外部の装置等と接続され、各種情報をやりとりする。通信装置２０６は、例えば、図２に示した外部Ｉ／Ｆ１１０と同様の機能を有し、例えば外部のデータベース等と接続され、各種情報をやりとりする。
【００９６】
プロセッサ２０１は、ハードディスク装置２０８に記憶された各プログラムを読み出して、メモリ２０７に展開して実行することで、各種の処理を行う。また、これらのプログラムは、コンピュータ２００を図２に示した受付部１３１、設定部１３２及び出力部１３３として機能させることができる。
【００９７】
なお、上記の表示プログラムは、必ずしもハードディスク装置２０８に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭ（Compact  Disc  ＲＯＭ）やＤＶＤ（Digital  Versatile  Disc）、ＵＳＢ（Universal  Serial  Bus）メモリ等の可搬型記録媒体が対応する。また、コンピュータ２００が読み取り可能な記憶媒体は、フラッシュメモリ等の半導体メモリ、ハードディスクドライブ等が対応してもよい。また、公衆回線、インターネット、ＬＡＮ（Local  Area  Network）等に接続された装置にこの表示プログラムを記憶させておき、コンピュータ２００がこれらから表示プログラムを読み出して実行するようにしてもよい。
【符号の説明】
【００９８】
１００、３００  表示装置
１１０  外部Ｉ／Ｆ
１２０  記憶部
１２１  項目ＤＢ
１２２  付箋ＤＢ
１３０、３３０  制御部
１３１、３３１  受付部
１３２、３３２  設定部
１３３  出力部
【図１】
2019106137.tif 000003
【図２】
2019106137.tif 000004
【図３】
2019106137.tif 000005
【図４】
2019106137.tif 000006
【図５Ａ】
2019106137.tif 000007
【図５Ｂ】
2019106137.tif 000008
【図５Ｃ】
2019106137.tif 000009
【図５Ｄ】
2019106137.tif 000010
【図６】
2019106137.tif 000011
【図７】
2019106137.tif 000012
【図８Ａ】
2019106137.tif 000013
【図８Ｂ】
2019106137.tif 000014
【図９Ａ】
2019106137.tif 000015
【図９Ｂ】
2019106137.tif 000016
【図９Ｃ】
2019106137.tif 000017
【図９Ｄ】
2019106137.tif 000018
【図１０】
2019106137.tif 000019
【図１１】
2019106137.tif 000020
【図１２】
2019106137.tif 000021
【図１３】
2019106137.tif 000022
【図１４】
2019106137.tif 000023